(57)【要約】【課題】液晶表示器のバックライトによる温度が検査に適する温度に安定した状態で、液晶表示器の良否を効率よく適切に検査する。【解決手段】液晶表示器２３が検査領域Ａ１乃至Ａ１２のそれぞれに１個ずつ収容され、制御装置６が液晶表示器２３に接続され、電源スイッチ１０の全部が１個ずつオン操作され、最初の電源スイッチ１０のオン操作からの経過時間がエージング時間を経過すると、作業者が、検査領域Ａ１の液晶表示器２３に対し検査を実行した後に電源スイッチ１０をオフ操作した後に液晶表示器２３を検査領域Ａ１から外し、新たな液晶表示器２３を検査領域Ａ１に収容し、その新たな液晶表示器２３に制御装置６を接続し、検査領域Ａ１の電源スイッチ１０をオン操作した後、次の検査領域Ａ２の液晶表示器２３に検査を実行するというように、検査領域Ａ１乃至Ａ１２の液晶表示器２３に対する検査を行いながら検査台１を巡回する。【選択図】図１
2008304228.tif 000002
【特許請求の範囲】
【請求項１】
検査台と検査具とを備え、検査台には複数の検査領域が設けられ、複数の検査領域のそれぞれには収容部と電源装置と制御装置が１個ずつ配置され、収容部は検査対象物としての液晶表示器を１個ずつ収容する部屋として底部と２つのレールと２つの仕切壁とによって囲まれ上方に開口しかつ下方に窪む凹部として構成され、検査具は収容部に収容された液晶表示器がバックライトの点灯した白画面になった状態において検査台のレールの上を移動しつつ液晶表示器の照度を測定するものとして１つの収容部の開口を覆う大きさの基盤と基盤の上部に設けられた照度計と基盤の下部に設けられた照度センサと基盤の下部に設けられたレールおよび基盤の下部に設けられた仕切壁とを備え、複数の検査領域の個数は検査具が液晶表示器の照度の検査を行いながら検査台を一巡りすると、当該一巡りの開始時にバックライトの点灯した白画面として動作された液晶表示器に対するエージング時間が経過する個数に設定されたことを特徴とする液晶表示検査装置。
【請求項２】
検査台には切替スイッチが複数の検査領域のそれぞれに１個ずつ収容部の外に位置して設けられ、切替スイッチが操作されるごとに制御装置が検査モードを白画面以外の少なくともドット抜けの確認のために切り替えることを特徴とする請求項１記載の液晶表示検査装置。
【発明の詳細な説明】
【技術分野】
【０００１】
本発明は、液晶表示器のバックライトによる温度が検査に適する温度に安定した状態で、液晶表示器の良否が適切に検査できる液晶表示検査装置に関する。
【背景技術】
【０００２】
図７は、特許文献１で開示した液晶表示検査装置を示す。図７において、複数の液晶表示器２３がエージング棚３１に置かれた後、エージング電源３２が液晶表示器２３の各々に供給されて液晶表示器２３の個々におけるバックライトを点灯させ、かつ、タイマー３３を起動させる。そして、タイマー３３の起動後の経過時間がタイマー３３に予め設定された例えば１５分などのエージング時間を経過すると、タイマー３３がエージング終了をブザー音などで報知する。この報知を確認した作業者が、エージング棚３１の先頭における１つの液晶表示器２３からエージング電源３２を外した後、液晶表示器２３の表示画面が検査台３４の暗室３５を臨む検査開口３６に対向するように、当該液晶表示器２３を検査台３４に設置する。その後、検査電源３７が制御装置３８および配線３９を経由して検査台３４の上の液晶表示器２３に供給され、検査対象物としての液晶表示器２３がバックライトの点灯下でテスト画面を表示する。その状態において、作業者が照度計４０を操作し、検査台３４の暗室３５に設けられた照度センサ４１が液晶表示器２３の表示画面の照度を測定する。しかしながら、検査対象物としての液晶表示器２３がエージング棚３１から検査台３４に移される場合、エージング電源３２が液晶表示器２３から外されて、バックライトが消灯した後、検査電源３７が液晶表示器２３に供給されてバックライトが点灯する構成であるため、検査作業の能率を上げるために、検査電源３７が供給されてから照度センサ４１で照度を測定するまでの時間が短くなると、液晶表示器２３のバックライトによる温度が検査に適する温度に到達しておらず、液晶表示器２３の良否が適切でないという欠点があった。
【特許文献１】特開２００４−１３００４７号公報
【発明の開示】
【発明が解決しようとする課題】
【０００３】
発明が解決しようとする問題点は、液晶表示器のバックライトによる温度が検査に適する温度に安定した状態で、液晶表示器の良否が検査できないという点である。
【課題を解決するための手段】
【０００４】
本発明に係る液晶表示検査装置は、検査台と検査具とを備え、検査台には複数の検査領域が設けられ、複数の検査領域のそれぞれには収容部と電源装置と制御装置が１個ずつ配置され、収容部は検査対象物としての液晶表示器を１個ずつ収容する部屋として底部と２つのレールと２つの仕切壁とによって囲まれ上方に開口しかつ下方に窪む凹部として構成され、検査具は収容部に収容された液晶表示器がバックライトの点灯した白画面になった状態において検査台のレールの上を移動しつつ液晶表示器の照度を測定するものとして１つの収容部の開口を覆う大きさの基盤と基盤の上部に設けられた照度計と基盤の下部に設けられた照度センサと基盤の下部に設けられたレールおよび基盤の下部に設けられた仕切壁とを備え、複数の検査領域の個数は検査具が液晶表示器の照度の検査を行いながら検査台を一巡りすると、当該一巡りの開始時にバックライトの点灯した白画面として動作された液晶表示器に対するエージング時間が経過する個数に設定されたことを最も主要な特徴とする。検査台には切替スイッチが複数の検査領域のそれぞれに１個ずつ収容部の外に位置して設けられ、切替スイッチが操作されるごとに制御装置が検査モードを白画面以外の少なくともドット抜けの確認のために切り替えるようにしてもよい。
【発明の効果】
【０００５】
本発明に係る液晶表示検査装置は、検査対象物としての液晶表示器が複数の検査領域の収容部のそれぞれに１個ずつ収容され、各検査領域における制御装置が各液晶表示器に接続され、各検査領域における電源装置の電源スイッチが１個ずつオン操作され、電源装置が商用電源から供給された交流を直流に変換して当該変換された直流を制御装置に供給し、制御装置が液晶表示器をバックライトの点灯した白画面として動作した状態において最初の電源スイッチのオン操作からの経過時間がバックライトによる温度が検査に適する温度に安定するエージング時間を経過すると、当該最初にオン操作された電源スイッチの存在する検査領域の液晶表示器に対し検査具の照度センサによる照度の検査を実行するというように、複数の検査領域の液晶表示器に対する照度の検査を行いながら検査台を巡回することによって、バックライトによる温度が検査に適する温度に安定した状態で、液晶表示器の良否を効率良く適切に検査できるという利点がある。検査台には切替スイッチが複数の検査領域のそれぞれに１個ずつ収容部の外に位置して設けられ、切替スイッチが操作されるごとに制御装置が検査モードを白画面以外の少なくともドット抜けの確認のために切り替えられれば、液晶表示器の照度と画素との良否を検査することができるという利点がある。
【発明を実施するための最良の形態】
【０００６】
図１乃至図６は、発明を実施するための最良の形態である。図１は、液晶表示検査装置を示す。図２は、液晶表示検査装置の検査方法を示す。
【０００７】
図１を参照し、液晶表示検査装置について説明する。液晶表示検査装置は、検査台１と検査具２とを備える。検査台１は、検査室の床の上に設置された机のようなものである。検査台１における平面視長方形の天板の上には、仮想線で囲まれた複数の検査領域Ａ１乃至Ａ１２が、天板の長手方向Ｌ１に６列で、天板の短手方向Ｌ２に２列の、合計１２個設けられる。複数の検査領域Ａ１乃至Ａ１２のそれぞれには、収容部３とタイマー４と電源装置５と制御装置６および切替スイッチ７が１個ずつ配置される。
【０００８】
収容部３は、液晶表示器２３を収容する部屋であって、底部と２つのレール８と２つの仕切壁９とによって平面視方形に囲まれ、かつ、上方に開口し、かつ下方に窪む凹部として構成される。収容部３の平面視方形な形状は、液晶表示器２３を表示画面の方から見た場合の平面視方形よりも大きな相似形である。レール８は、天板の長手方向Ｌ１に相対峙する２対として構成される。
【０００９】
タイマー４には、図外の乾電池が内蔵される。電源装置５に設けられた電源スイッチ１０がオン操作されると、電源装置５が商用電源から図外の配線を通して供給された交流を直流に変換し、変換した直流を図外の配線を通して制御装置６に供給する。制御装置６から延設された配線１１の端部には、コネクタ１２が接続される。コネクタ１２は、制御装置６の側におけるレール８を個別に貫通して収容部３に個別に配置される。
【００１０】
切替スイッチ７は、検査モードを切り替えるものであって、検査台１の外縁側のレール８の外側に位置し、検査台１に個別に設けられたので、作業者が切替スイッチ７を操作しやすいという利点がある。切替スイッチ７は、制御装置６に図外の配線で接続される。検査モードは、例えば、「白画面」、「変動パターン」、「ＲＧＢ横１６階調カラーバー」、「赤画面」、「緑画面」、「青画面」の７つがＲＯＭに設定され、電源スイッチ１０が投入されると、制御装置６に内蔵されたコンピュータプログラムによって、制御装置６が「白画面」の検査モードを開始する。その後、切替スイッチ７が作業者の操作によってオン信号を制御装置６に出力するごとに、制御装置６が検査モードを「変動パターン」、「ＲＧＢ横１６階調カラーバー」、「赤画面」、「緑画面」、「青画面」と順に切り替える。「白画面」は、線欠陥、照度（輝度）測定のための検査モードである。「変動パターン」は、制御装置６のＣＰＵの動作の確認のための検査モードである。「ＲＧＢ横１６階調カラーバー」は、輝度低下による明るさの階調ずれの確認のための検査モードである。「赤画面」と「緑画面」および「青画面」は、ドット（画素）抜けの確認のための検査モードである。
【００１１】
検査具２は、収容部３に収容された液晶表示器２３が「白画面」の検査モードになった状態において、検査台１のレール８の上を長手方向Ｌ１に移動しつつ、液晶表示器２３の照度を測定するものであって、基盤１４の上部に照度計１５を備え、基盤１４の下部に照度センサ１６とレール１７および仕切壁１８を備える。照度計１５には、図外の乾電池が内蔵される。照度計１５の上部には、操作部１９および表示部２０が設けられる。照度計１５および照度センサ１６は、互いに配線２１で接続される。
【００１２】
検査具２が収容部３を覆い隠すことによって、収容部３の底部とレール８と仕切壁９と検査具２の基盤１４とレール１７および仕切壁１８が暗室を構成する。そして、収容部の底部とレール８と仕切壁９と検査具２の基盤１４とレール１７および仕切壁１８は、黒色塗料などの光吸収被膜で覆われ、光を反射しないようになっているので、液晶表示器２３から暗室に放射された光が底部とレール８と仕切壁９と基盤１４とレール１７および仕切壁１８で反射することなく、液晶表示器２３の照度が適切に検査できる。
【００１３】
図２を参照し、液晶表示検査装置により液晶表示器２３の検査を行う場合について説明する。先ず、検査対象物としての液晶表示器２３の表示画面が上を向くように、複数の液晶表示器２３が検査台１の収容部３の全部に１個ずつ収容される。この場合、制御装置６のコネクタ１２が液晶表示器２３のコネクタ２４に接続され、液晶表示器２３におけるコネクタ２４の存在する側と長手方向Ｌ１に対向する側縁部が１つの仕切壁９に接触され、液晶表示器２３と２本のレール８との間の隙間Ｄ１が作業者の目視で同じ寸法となるように、液晶表示器２３が収容部３の底部の上に置かれる。コネクタ１２；２４は、バックライト用コネクタと表示信号用コネクタとの２つが存在するので、バックライト用コネクタどうしが互いに接続され、表示信号用コネクタどうしが互いに接続される。
【００１４】
つまり、収容部３に収容された液晶表示器２３と制御装置６とが互いに配線１１で接続され、液晶表示器２３が収容部３に収容されるごとに、電源スイッチ１０がオン操作されるとともにタイマー４が起動操作される。これによって、電源装置５が商用電源から供給された交流を直流に変換し、変換された直流を制御装置６に供給し、制御装置６が液晶表示器２３を「白画面」の検査モードに動作する。これによって、複数の液晶表示器２３の全部において、バックライトが点灯しかつ表示画面が「白画面」になる。そして、タイマー４の起動後の経過時間がタイマー４に予め設定されたエージング時間を経過すると、タイマー４がエージング終了をブザー音などで報知する。
【００１５】
例えば、液晶表示器２３が収容部３に収容され、電源スイッチ１０およびタイマー４が操作される場合、作業者が、図２の左列の検査領域Ａ１から検査領域Ａ６に移動し、左列から右列に移動し、右列の検査領域Ａ７から検査領域Ａ１２に移動するように、検査台１を上面から見て、反時計回りに移動しながら電源スイッチ１０およびタイマー４を１個ずつ操作すると、その操作順にしたがってタイマー４がエージング終了を報知する。
【００１６】
また、検査具２における２つのレール１７の間の隙間が検査台１における左列の検査領域Ａ１乃至Ａ６の電源装置５の側のレール８に上から嵌め込まれ、検査具２の基盤１４が検査台１における左列の検査領域Ａ１の２本のレール８の上に載せられ、検査具２が検査領域Ａ１と対応させられる。検査具２が検査領域Ａ１と対応させられると、検査具２の基盤１４が検査領域Ａ１を覆い隠し、検査領域Ａ１の２つの仕切壁９と検査具２の２つの仕切壁１８とが互いに対向し、検査領域Ａ１が暗室として構成され、検査具２の照度センサ１６が検査領域Ａ１における液晶表示器２３の表示画面の中心と対面する。
【００１７】
その状態において、作業者が、検査領域Ａ１におけるエージング終了の報知を確認すると、操作部１９の開始スイッチを操作する。これによって、照度計１５の乾電池から照度センサ１６に電力が供給され、照度センサ１６が検査領域Ａ１の液晶表示器２３の照度を検出し、その検出結果が表示部２０に数値として表示される。この表示部２０に表示された数値は、例えば、作業者が図外の検査表に記入する。その後、作業者が操作部１９の終了スイッチを操作する。これによって、照度計１５の乾電池から照度センサ１６への電力の供給が停止し、表示部２０から数値が消える。
【００１８】
引き続き、作業者が検査具２を検査領域Ａ１から検査領域Ａ２と対応するように移動しかつ検査領域Ａ１の切替スイッチ７を１回操作する。これによって、検査領域Ａ１における液晶表示器２３の表示画面が「白画面」から「変動パターン」に切り替わり、作業者が「変動パターン」を目視しつつＣＰＵの動作が正確に反映されているか否かを確認し、その確認結果を検査表に記録した後、検査領域Ａ１の切替スイッチ７を１回操作する。
【００１９】
これによって、検査領域Ａ１における液晶表示器２３の表示画面が「変動パターン」から「ＲＧＢ横１６階調カラーバー」に切り替わり、作業者が「ＲＧＢ横１６階調カラーバー」を目視しつつ輝度低下による明るさの階調ずれが有るか無いかを確認し、その確認結果を検査表に記録した後、検査領域Ａ１の切替スイッチ７を１回操作する。
【００２０】
これによって、検査領域Ａ１における液晶表示器２３の表示画面が「ＲＧＢ横１６階調カラーバー」から「赤画面」に切り替わり、作業者が「赤画面」を目視しつつドット抜けが有るか無いかを確認し、その確認結果を検査表に記録した後、検査領域Ａ１の切替スイッチ７を１回操作する。
【００２１】
これによって、検査領域Ａ１における液晶表示器２３の表示画面が「赤画面」から「緑画面」に切り替わり、作業者が「緑画面」を目視しつつドット抜けが有るか無いかを確認し、その確認結果を検査表に記録した後、検査領域Ａ１の切替スイッチ７を１回操作する。
【００２２】
これによって、検査領域Ａ１における液晶表示器２３の表示画面が「緑画面」から「青画面」に切り替わり、作業者が「青画面」を目視しつつドット抜けが有るか無いかを確認し、その確認結果を検査表に記録した後、検査領域Ａ１の切替スイッチ７を１回操作する。
【００２３】
その後、作業者が検査領域Ａ１の電源スイッチ１０をオフ操作する。これによって、検査領域Ａ１の電源装置５から制御装置６および液晶表示器２３への電力の供給が停止し、検査領域Ａ１の液晶表示器２３に対する検査が終了する。すると、作業者が検査領域Ａ１のコネクタ１２；２４の接続を解除し、検査の終了した液晶表示器２３を検査領域Ａ１の収容部３から外部に取り出して検査表に記録された検査結果にしたがう等級に仕分けしつつ図外の検査終了品置場に置けば、検査終了後の液晶表示器２３を例えばパチンコ遊技機などの遊技機に使用した場合、当該複数の遊技機が遊技店の１つの島と呼ばれる遊技機設置設備に並べられて設置されたとしても、それらの遊技機における液晶表示器２３の表示画面の明るさが同じ範囲になり、液晶表示器２３の明るさの違いによる違和感を遊技者に与えることがなくなる。
【００２４】
さらに、作業者が新たに検査しようとする液晶表示器２３を検査領域Ａ１の収容部３に収容し、収容部３に収容された液晶表示器２３のコネクタ２４に制御装置６のコネクタ１２を接続し、検査領域Ａ１の電源スイッチ１０およびタイマー４をオン操作する。そして、作業者が、検査領域Ａ２におけるエージング終了の報知を確認すると、検査領域Ａ２における液晶表示器２３の「白画面」、「変動パターン」、「ＲＧＢ横１６階調カラーバー」、「赤画面」、「緑画面」、「青画面」からなる検査モードに対する検査を前記手順にしたがって実行する。
【００２５】
その後、作業者が検査の終了した液晶表示器２３を検査領域Ａ２の収容部３から外部に取り出して検査表に記録された検査結果にしたがう等級に仕分けしつつ図外の検査終了品置場に置き、新たに検査しようとする液晶表示器２３を検査領域Ａ２の収容部３に収容し、収容部３に収容された液晶表示器２３のコネクタ２４に制御装置６のコネクタ１２を接続し、検査領域Ａ１の電源スイッチ１０およびタイマー４をオン操作する。
【００２６】
そして、作業者が、検査領域Ａ３におけるエージング終了の報知を確認すると、検査領域Ａ３における液晶表示器２３の検査モードの全てに対する検査を前記手順にしたがって実行するというように、検査領域Ａ１２まで順に検査を行った後、再び、検査領域Ａ１に戻る。
【００２７】
最良の形態に係る液晶表示検査装置によれば、作業者が検査を行いながら検査台１を一巡りすると、エージング時間が経過するように、検査台１が複数の検査領域Ａ１乃至Ａ１２を備えている。よって、検査対象物としての液晶表示器２３が検査領域Ａ１乃至Ａ１２のそれぞれに１個ずつ収容され、制御装置６のコネクタ１２が液晶表示器２３のコネクタ２４に接続され、電源スイッチ１０の全部が１個ずつ順にオン操作され、最初の電源スイッチ１０のオン操作からの経過時間がエージング時間を経過したならば、作業者が、当該最初にオン操作された電源スイッチ１０の存在する検査領域Ａ１の液晶表示器２３に対し検査を実行した後に電源スイッチ１０をオフ操作し、当該検査の終了した液晶表示器２３を検査領域Ａ１から外して検査終了品置場に置き、新たな検査対象物としての液晶表示器２３を検査領域Ａ１に収容し、その新たな液晶表示器２３のコネクタ２４に制御装置６のコネクタ１２を接続し、検査領域Ａ１の電源スイッチ１０をオン操作した後、次の検査領域Ａ２の液晶表示器２３に検査を実行するというように、検査領域Ａ１乃至Ａ１２の液晶表示器２３に対する検査を行いながら検査台１を巡回することによって、バックライトによる温度が検査に適する温度に安定した状態で、液晶表示器２３の良否を効率良く適切に検査できるという利点がある。
【００２８】
切替スイッチ７が操作されるごとに、制御装置６が検査モードを「白画面」以外の少なくとも「赤画面」と「緑画面」および「青画面」などのドット抜けの確認のために切り替えるので、液晶表示器２３の照度と画素との良否を検査することができるという利点がある。検査台１が平面視長方形の天板の上に複数の検査領域Ａ１乃至Ａ１２を天板の長手方向Ｌ１に６列で天板の短手方向Ｌ２に２列の合計１２個設けられ、電源装置５および制御装置６が天板の短手方向Ｌ２の中央部に配置され、収容部３が天板の短手方向Ｌ２の両側部に配置されているので、検査具２による検査台１を一巡りし検査が効率良く行われるという利点がある。検査台１には、複数の検査領域Ａ１乃至Ａ１２ごとにタイマー４が１個ずつ設けられているので、作業者が電源スイッチ１０のオン操作に合わせてタイマー４を起動操作すれば、タイマー４の起動後の経過時間がタイマー４に予め設定されたエージング時間を経過すると、タイマー４がエージング終了をブザー音などで報知するので、作業者が検査対象物としての個々の液晶表示器２３にエージング終了を適切に把握できるという利点がある。
【００２９】
図３を参照し、検査台１の検査領域Ａについて説明する。検査領域Ａは、図１や図２における検査領域Ａ１乃至Ａ１２の１つに相当する。検査台１のレール８は、長手方向Ｌ１に直線的に連続する板状である。検査台１の仕切壁９は、短手方向Ｌ２に相対峙する２つのレール８の間に配置されかつ双方のレール８に接続される。制御装置の方のレール８には、配線孔２６が設けられる。配線孔２６の口径は、配線１１が通る大きさであれば、できるだけ小さい方が、外部から検査領域Ａへの光の侵入防止上から好ましい。レール８の高さをＨ１とし、仕切壁９の高さをＨ２とし、液晶表示器２３の高さをＨ３とすると、Ｈ３＜Ｈ２＜Ｈ１になっている
【００３０】
図４乃至図６を参照し、検査具２が検査領域Ａに被せられた場合について説明する。図４において、検査具２における２本のレール１７の間の隙間が検査台１における制御装置６の方の１本のレール８に上から嵌め込まれることによって、基盤１４が検査台１における２本のレール８の上に接触して搭載される。
【００３１】
図５および図６に示すように、基盤１４がレール８の上に搭載された場合、仕切壁９；１８が互いに対向する間、仕切壁９とレール１７とが互いに対向する間のそれぞれには、隙間Ｄ２が形成される。よって、検査台１がレール８を滑走しつつ長手方向Ｌ１に移動した場合でも、レール１７が仕切壁９および液晶表示器２３に接触することがなく、検査台１が長手方向Ｌ１に適切に移動できる。
【００３２】
図６に示すように、検査室の室内灯２７から放射される照明光などの外部光Ｒ１が隙間Ｄ２を経由して収容部３に侵入しないように、隙間Ｄ２はできるだけ狭い方がよい。外部光Ｒ１が隙間Ｄ２から仕切壁９の上面に到達しても、仕切壁９の上面が光吸収被膜で覆われているので、当該仕切壁９の上面に到達した外部光Ｒ１は反射せず収容部３に侵入しない。また、外部光Ｒ１が仕切壁１８の外面に到達しても、仕切壁１８の外面が光吸収被膜で覆われていれば、当該仕切壁１８の外面に到達した外部光Ｒ１は反射しないが、仕切壁１８の外面が光吸収被膜で覆われていなければ、当該仕切壁１８の外面に到達した外部光Ｒ１は反射光Ｒ２となって仕切壁９から離れる方向に進み収容部３に侵入しない。
【産業上の利用可能性】
【００３３】
図１において、検査領域Ａ１乃至Ａ１２の個数は、２個以上であれば、１２個に限定されるものではないが、検査具２による検査を行いながら検査台１を一巡りすると、当該一巡りの開始時に「白画面」に設定された液晶表示器２３に対するエージング時間が経過する個数であれば、液晶表示器２３の良否が効率良く検査できる。作業者が検査台１を巡回するようにしたが、検査台１の天板が検査室の床と平行な方向に回転するようにしてもよい。
【図面の簡単な説明】
【００３４】
【図１】液晶表示検査装置の平面的な模式図（最良の形態）。
【図２】液晶表示検査装置による検査方法の平面的な模式図（最良の形態）。
【図３】検査台と検査具との分解斜視図（最良の形態）。
【図４】検査台と検査具との組立斜視図（最良の形態）。
【図５】図４のＢ−Ｂ線断面図（最良の形態）。
【図６】図４のＣ−Ｃ線断面図（最良の形態）。
【図７】液晶表示検査装置の斜視図（従来）。
【符号の説明】
【００３５】
１は検査台、２は検査具、３は収容部、４はタイマー、５は電源装置、６は制御装置、７は切替スイッチ、８はレール、９は仕切壁、１０は電源スイッチ、１１は配線、１２はコネクタ、１３は欠番、１４は基盤、１５は照度計、１６は照度センサ、１７はレール、１８は仕切壁、１９は操作部、２０は表示部、２１は配線、２２は欠番、２３は液晶表示器、２４はコネクタ、２５は欠番、２６は配線孔、２７は室内灯、２８乃至３０は欠番、３１はエージング棚、３２はエージング電源、３３はタイマー、３４は検査台、３５は暗室、３６は検査開口、３７は検査電源、３８は制御装置、３９は配線、４０は照度計、４１は照度センサ、Ａ１乃至Ａ１２は検査領域、Ｄ１；Ｄ２は隙間、Ｌ１は長手方向、Ｌ２は短手方向、Ｒ１は外部光、Ｒ２反射光、Ｈ１乃至Ｈ３は高さ。
【図１】
2008304228.tif 000003
【図２】
2008304228.tif 000004
【図３】
2008304228.tif 000005
【図４】
2008304228.tif 000006
【図５】
2008304228.tif 000007
【図６】
2008304228.tif 000008
【図７】
2008304228.tif 000009